(57)【要約】  本発明は、ボールベアリング保持器及びそのようなボールベアリング保持器を有するボールベアリングに関する。ボールベアリング保持器（２）は、同径軸線周りに延在する環状体（４）を備え、この環状体（４）には、周方向（６）に実質的に均等に分散させて配置された、軸方向（１４）に所定の軸方向長さ（１６）で突出したウェブ（１８）が配設されており、これらウェブ（１８）は、軸方向（１４）に一方が開いた複数のボールポケット（８）を、それに対応する個数の所定のボール径（１２）を有するボール（１０）を収容するように形成する。少なくとも一つのウェブ（１８）には、ボールベアリングリング（４２，４４）の軌道溝（４６，４８）に係合させるためのガイド部（２４）が形成されている。ウェブ（１８）の軸方向長さ（１６）は、少なくともボール径（１２）に相当する。
2021520474.tif 000002
【特許請求の範囲】
【請求項１】
同径軸線周りに延在する環状体（４）を有するボールベアリング保持器（２）であって、当該環状体（４）には、周方向（６）に実質的に均等に分散させて配置された、軸方向（１４）に所定の軸方向長さ（１６）で突出したウェブ（１８）が配設されており、これらのウェブ（１８）は、軸方向（１４）に一方が開いた複数のボールポケット（８）を形成し、それに対応する個数の所定のボール径（１２）を有するボール（１０）を収容し、少なくとも一つのウェブ（１８）には、ボールベアリングリング（４２，４４）の軌道溝（４６，４８）に係合させるためのガイド部（２４）が形成されているボールベアリング保持器（２）において、
ウェブ（１８）の軸方向長さ（１６）は、少なくともボール径（１２）に相当することを特徴とするボールベアリング保持器（２）。
【請求項２】
ガイド部（２４）は、ボールベアリング外輪（４４）の軌道溝（４８）に係合させるためにウェブ（１８）の径方向外側（２６）に形成されているか、又は、ガイド部（２４）は、ボールベアリング内輪（４２）の軌道溝（４６）に係合させるためにウェブ（１８）の径方向内側（３２）に形成されていることを特徴とする請求項１に記載のボールベアリング保持器（２）。
【請求項３】
ガイド部（２４）は、ウェブ（１８）と一体的に形成され、特に、ボールベアリング保持器（２）が軸方向にあそびのある状態でボールベアリング（４０）内をガイドされ得るようなウェブ（１８）の軸方向位置に形成されていることを特徴とする請求項１又は２に記載のボールベアリング保持器（２）。
【請求項４】
複数のウェブ（１８）において、特に全てのウェブ（１８）において、実質的に同一であるウェブ（１８）の特に同じ位置にガイド部（２４）がそれぞれ形成されているか、又は、四つに一つ若しくは三つに一つ若しくは二つに一つのそれぞれのウェブ（１８）において、実質的に同一であるウェブ（１８）の特に同じ位置にガイド部（２４）がそれぞれ形成されていることを特徴とする請求項１から３のいずれか一項に記載のボールベアリング保持器（２）。
【請求項５】
ガイド部（２４）は、隆起部として、特に、周方向（６）に延在する隆起部として、特に、周方向（６）に延在するリブ（２４）として形成されており、特に、周方向（６）に延在するリブ（２４）は、周方向（６）におけるウェブ（１８）の幅（２２）の実質的に全体にわたって、当該ウェブの径方向の外側（２６）又は内側（３２）に延在することを特徴とする請求項１から４のいずれか一項に記載のボールベアリング保持器（２）。
【請求項６】
ウェブ（１８）が、軸方向（１４）に円筒状の径方向外面（２８）を有するか、又は、軸方向（１４）に円すい状の径方向外面（３０）、特に略２°から略２０°の間のコーヌス角（５２）、特に略７°から略１２°の間のコーヌス角（５２）を有する円すい状の径方向外面（３０）を有することを特徴とする請求項１から５のいずれか一項に記載のボールベアリング保持器（２）。
【請求項７】
少なくとも部分的にプラスチックからなり、特にポリエーテルエーテルケトン（ＰＥＥＫ）、ポリエーテルケトン（ＰＥＫ）、ポリフェニレンスルファイド（ＰＰＳ）、ポリフェニルスルホン（ＰＰＳＵ）、ポリアミドイミド（ＰＡＩ）、ポリイミド（ＰＩ）又はフェノール樹脂（ＰＦ）、特に綿繊維強化フェノール樹脂（ＰＦ）からなることを特徴とする請求項１から６のいずれか一項に記載のボールベアリング保持器（２）。
【請求項８】
周方向（６）に隣接する二つのウェブ（１８）毎の間において、同径軸線周りに延在する環状体（４）に形成されたカロット底部（５４）が、平坦な面（６６）又は丸みづけされた面（７０）を有していることを特徴とする請求項１から７のいずれか一項に記載のボールベアリング保持器（２）。
【請求項９】
周方向（６）に隣接する二つのウェブ（１８）毎の、周方向（６）におけるボールベアリング保持器（２）の径方向外周（３４）側での間隔（７２）は、ボールベアリング保持器（２）の径方向内周（３８）側での間隔（７４）よりも大きいことを特徴とする請求項１から８のいずれか一項に記載のボールベアリング保持器（２）。
【請求項１０】
切削形成加工によるか、積層造形、特に３Ｄプリントによるか又は射出成形（３６）により製造された請求項１から９のいずれか一項に記載のボールベアリング保持器（２）。
【請求項１１】
請求項１から１０のいずれか一項に記載のボールベアリング保持器（２）を単列ラジアル深溝ボールベアリング（４０）に使用する方法。
【請求項１２】
ボールベアリング内輪（４２）、ボールベアリング外輪（４４）、所定のボール径（１２）を有する複数のボール（１０）及び請求項１から１０のいずれか一項に記載のボールベアリング保持器（２）を有するボールベアリング（４０）において、
複数のボール（１０）は、ボールベアリング保持器（２）により形成されるボールポケット（８）の数に対応し（“ボール群”，５０）、ボールポケット（８）の一つにボール（１０）の一つがそれぞれ収容され、ガイド部（２４）は、ボールベアリング内輪（４２）の軌道溝（４６）に、又は、ボールベアリング外輪（４８）の軌道溝（４４）に係合していることを特徴とするボールベアリング（４０）。
【請求項１３】
ボールベアリング保持器（２）は、内輪肩部（７８）によりガイドされ、ガイド部（２４）は、ウェブ（１８）の径方向内側（３２）に形成され、ボールベアリング内輪（４２）の軌道溝（４６）に係合していることを特徴とする請求項１２に記載のボールベアリング（４０）。
【請求項１４】
ボール（１０）は、５ｍｍ未満の所定のボール径（１２）を有していることを特徴とする請求項１２又は１３に記載のボールベアリング（４０）。
【請求項１５】
請求項１２又は１３又は１４に記載のボールベアリング（４０）であって、歯科用装置、特に歯科用タービンに使用されるボールベアリング（４０）。
【請求項１６】
請求項１から１０のいずれか一項に記載のボールベアリング保持器（２）のための射出成形ツール（８０）であって、パーティングライン（８８）を介して接合可能な、又は、分割可能な二つのツール部分（８２，８４）を有し、これら両方のツール部分（８２，８４）は、接合された状態でボールベアリング保持器（２）の形をかたどったボールベアリング保持器（２）のための空洞（“めす型”）（８６）を形成し、ガイド部（２４）はパーティングライン（８８）に位置する射出成形ツール（８０）。
【発明の詳細な説明】
【技術分野】
【０００１】
本発明は、ボールベアリング保持器と、そのようなボールベアリング保持器を有するボールベアリングとに関する。
【背景技術】
【０００２】
転がり軸受は、いわゆる内輪と外輪の間で回転する物体、すなわち転動体が摩擦抵抗を低減する軸受である。転がり軸受は、軸及びシャフトの位置を固定する役割を担い、構造的な形状に応じてラジアル力又はアキシアル力の少なくともいずれかを受け止めると同時にシャフトの回転を可能にしたり、又はそのようにして軸に支えられた例えば車輪といった部品の回転を可能にしたりする。
【０００３】
ボールベアリング（玉軸受）は、こういった転がり軸受の下位の一群であり、転動体としての役割をボールが担う（転がり軸受の他の下位グループは、−円筒ころ、円すいころなどの然るべき転動体をそれぞれ有する−例えば円筒ころ軸受、円すいころ軸受、針状ころ軸受、凸面ころ軸受又はトロイダル軸受である。）。
【０００４】
ボールベアリングの個々のボール又はボールベアリングのボール群（すなわち、ボールベアリングにおいて周方向の列に配設された全てのボール）の個々のボールを配設するためのボールベアリング保持器（ケージ）も同様に周知であり、（ボールベアリング内のボール群の）ボールをボールベアリングの周方向にほぼ等間隔にその位置に保つ役割を有している。これらのボールは、このとき又はこれに加えて、ボールベアリング保持器により形成された所謂ボールポケットにそれぞれ収容されている。
【０００５】
このようなボールベアリング保持器のさまざまな構成も周知である。例えばウィンドウケージ（ソリッド形ケージとも呼ばれる）や１部品式（図１４）ないし２部品式のスナップ形保持器などである。
【０００６】
ボールベアリングのウィンドウケージの場合、転動体、つまりボールは、ウィンドウケージにより−通常は一体的に−形成された閉じた輪郭、すなわちボールポケット内に挿入されている。
【０００７】
これに対して、ボールベアリングのスナップ形保持器（図１４）では、ボールは、−環状体、いわゆる保持器背部に軸方向に（アキシアルに）突出するように且つボールベアリングの周方向に実質的に均等に分散配置させて配設された−ウェブによってその位置が保たれる。この場合、ボールベアリングの周方向に隣接して配設されたどの二つのウェブも、この種のスナップ形保持器においてボールを収容するためのボールポケットを形成し、それらボールポケットの−閉じた輪郭として形成されていないが故の−スナップ開口部、つまり、ボールベアリングの周方向に隣接する二つのウェブ端部間の“開いた”間隙は、ボールポケット内に収容されるボールのそれぞれのボール径よりも通常は小さく（周方向に隣接する二つのウェブ毎の周方向の平均間隔が略ボール径に相当する）、これにより、ボールポケット又はボールベアリング保持器が−ボールベアリングを組み立てる際に−ボール上に“スナップ嵌合”する。
【０００８】
２部品式スナップ形保持器は、上記の−この場合第一の−保持器部品、つまり、突出するウェブが設けられた保持器背部に加えて、この第一の保持器部品に対する相手方の部材を形成する第二の保持器部品が設けられ、この第二の保持器部品−同じく大抵は環状の部品として形成されている−が、第一の保持器部品のスナップ開口部を“閉じ／ロックし”、−それにより第一の保持器部品を補強ないし強化する。
【０００９】
これに加えて、このようなボールベアリング保持器においてはさらに、リベット留め保持器及び波形保持器も知られている。
【００１０】
これらリベット留め保持器及び波形保持器は、２部品式のスナップ形保持器と同様に、関連し合う二つの保持器部品、この場合には略対称的な二つの保持器部品から構成されており、それらの各保持器部品は、ボールポケットの半分をそれぞれが形成しているか、又は“担って”おり、これらが−互いにつなぎ合わされて初めて−完全なボールポケットを形成する。このようなボールベアリング保持器の両方の保持器部品を（どの二つのボールポケットの間でも保持器背部で）互いにリベット留めしたものがリベット留め保持器であり、両方の保持器部品を（そこのところで）“かしめた”ものが波形保持器である。
【００１１】
ボールベアリング保持器は、鋼又はプラスチックなど様々な材料から−それぞれのボールベアリング保持器又はボールベアリングの用途及びそれに関して求められる回転数及び／又は摩擦といった要件に応じて−製造することができる。
【００１２】
ボールベアリング用の鋼製のスナップ形保持器、波形保持器及びリベット留め保持器（鋼板製保持器）は、多くの場合エンジンベアリングにおいて用いられ、低速から中速にかけての回転数の場合や低摩擦モーメントに関する要件がある場合によく適している。
【００１３】
高速領域、すなわち回転数のパラメータがｎ×ｄｍ≧１，０００，０００ｍｍ／分（ここでｎは内輪回転数に、ｄｍは平均軸受径に対応し、平均軸受径ｄｍは外径と穴径との和を２で割って求められる。）の場合に利用するときにはしばしば、ポリエーテルエーテルケトン（ＰＥＥＫ）など高性能プラスチック製のスナップ形保持器を用いた特殊な内部形状を持つボールベアリングが使用される。
【００１４】
そのような高速ボールベアリングのこれらプラスチック製（スナップ形）保持器は、精度の理由から切削形成加工により製造されるため、打ち抜き加工部品及び成形加工部品である先述の鋼製保持器と比較すると製造コストが明らかに高くなる。
【００１５】
図１４は、ボールベアリングの従来のデザインのプラスチック製（スナップ形）保持器を示しているが、これは−切削形成加工による高コストでの製造の代わりに−射出成形によっても製造可能である。
【００１６】
しかし、そのようなプラスチック製（スナップ形）保持器を射出成形により製造すると、必然的にプラスチック製（スナップ形）保持器の精度が低くなり、高速ボールベアリングの性能が低下する結果を招く。
【００１７】
その原因、すなわち精度が低くなる原因は、射出成形具（射出成形ツール）のコンセプトにある。
【００１８】
軸線周りに複数形成されるプラスチック製（スナップ形）保持器のボールポケットは、プラスチック製（スナップ形）保持器の離型性の理由から、複数の可動スライドを用いて作り込まなければならないが、これらのスライドによって、射出成形物の冷却時に不均一な収縮が起こり、それがバリの形成というさらなる現象を伴う。
【００１９】
特許文献１（ＤＥ１０２０１７１０５０１９Ａ１）より、複数のボールを備えたボールベアリングであって、内輪、外輪及びボールを収容するボールベアリング保持器を有するものが知られている。
【００２０】
この文献におけるボールベアリング保持器には保持器背部が設けられており、この保持器背部には、所定の軸方向長さで軸方向に突出したウェブが周方向に複数配設されており、これらウェブが、ボールを収容する片側で軸方向に開いた複数のボールポケットを形成している。ウェブの径方向内側には、ボールベアリング内輪の軌道溝と係合させるためのガイド部が形成されている。
【００２１】
内輪と外輪との間の環状空間にあるグリースのせん断を可能な限り低減させることでボールベアリングの回転抵抗を低減させるために、特許文献１（ＤＥ１０２０１７１０５０１９Ａ１）によると、ウェブの軸方向長さは、ボールの直径の３０％以上かつ５０％以下に相当するものとされている。
【先行技術文献】
【特許文献】
【００２２】
【特許文献１】独国特許発明第１０２０１７１０５０１９号明細書
【特許文献２】独国特許発明第１０２０１４００８７６３号明細書
【発明の概要】
【発明が解決しようとする課題】
【００２３】
本発明は、従来技術の欠点と制限を克服することを課題とする。
【００２４】
特に、本発明は、ボールベアリング保持器のための新しい保持器デザインを構想して、それにより、特に摩擦、騒音及び寿命に関して優れたボールベアリングの性能特性を確実に提供することを課題とする。また、ボールベアリング保持器のこの新しい保持器デザインにより、射出成形ツールから離型した後のボールベアリング保持器の精度が明らかに改善されるように簡潔なツールコンセプトが実現できなければならない。さらに、ボールベアリング保持器のためのこの新しい保持器デザインは、高速ベアリングにおける要件に適していなければならない。
【課題を解決するための手段】
【００２５】
この課題は、各独立請求項に記載の特徴を有するボールベアリング保持器並びにボールベアリングによって解決される。
【００２６】
ボールベアリング保持器には、同径軸線周りに延在する環状体（“保持器背部”）が設けられ、当該環状体には、−ボールベアリング保持器の周方向又は同径軸線周りに延在する環状体の周方向又は保持器背部の周方向に−実質的に均等に分散させて配置された、軸方向に所定の軸方向長さで突出したウェブが配設されており、これらのウェブは、軸方向に一方が開いた複数のボールポケットを形成し、それに対応する個数の所定のボール径を有するボールを収容する。
【００２７】
このとき、ウェブの−所定の−軸方向長さは、少なくとも、ボールポケット内に収容すべき又は収容されるボールのボール径に相当する。このウェブの軸方向長さは特に、ボールポケット内に収容すべき又は収容されるボールのボール径に略相当し−場合によっては “張り出し部分”が加わる。
【００２８】
ただし、特に、その−軸方向の張り出し部分のある−ウェブは、或る限度でボールを超えて軸方向に“突出”するようにウェブの−所定の−軸方向長さの寸法が決められており、それは、−ボールベアリング保持器が（（ボール群を含め）ボールベアリング内輪、ボールベアリング外輪からなる）ボールベアリング内に組み込まれているときには−ボールベアリングリングの（軸方向に）“遠位の”第二肩部を径方向に臨む領域へとウェブが軸方向に突出する（ボールベアリング内輪又はボールベアリング外輪の（軸方向に）“近位の”第一肩部は、軸方向において、ボールベアリング保持器の保持器背部を径方向に臨む領域にある。）程度であるか、或いは両方のボールベアリングリングの（つまり、ボールベアリング内輪及びボールベアリング外輪の）（軸方向に）“遠位の”第二肩部同士の径方向における間の領域へとウェブが軸方向に突出する程度である。
【００２９】
つまり、ウェブの−所定の−軸方向長さは、軸方向におけるウェブの自由端部が、ボールベアリング内輪及び／又はボールベアリング外輪の（軸方向に）“遠位の”第二肩部を径方向に臨む領域へと軸方向に突出するように寸法が決められている。
【００３０】
簡潔に言うと、ウェブは、軸方向において、いずれかのボールベアリングリング（つまりボールベアリング内輪及び／又はボールベアリング外輪）の（軸方向に）“遠位の”第二肩部に（も）−少なくとも部分的に−覆い被さっている。
【００３１】
こうして、ボールベアリング保持器がボールベアリング内で肩部によりガイドされる場合、すなわち、ボールベアリング内輪肩部によりガイドされる場合又はボールベアリング外輪肩部によりガイドされる場合、−つまりこのときには、（このように“軸方向に長い”ウェブを備えた）（組み込まれた）ボールベアリング保持器は、両方の又は二つの肩部（つまり、それぞれのボールベアリングリングの（つまりボールベアリング内輪又はボールベアリング外輪の）（軸方向に）“近位の”第一肩部と（軸方向に）“遠位の”第二肩部）の上でガイドされることになるが−それによりボールベアリング保持器が正確に、同心に且つ安定して走行することを保証することができる。
【００３２】
このとき、“略”により、ウェブの−所定の−軸方向長さに製造公差が含まれ得ることを表現することができる。
【００３３】
簡単に分かり易く言うと、環状体又は保持器背部には、−周方向に特に略一様に分布させた且つ特に略同じに形成された−軸方向（すなわち、ボールベアリング保持器の軸方向における延在範囲）に突出するウェブが配設され、これらウェブが、これらウェブにより形成することができるボールポケットを周方向において画成する。
【００３４】
二つの隣接する（（同径軸線周りに拡がる）所定の間隔をおいて離れている）軸方向に突出したウェブにより形成されたボールポケットはまた、両方のウェブの−周方向における−間において、同径軸線周りに延在する環状体上に形成されたカロット底部によりさらに画成される。
【００３５】
このカロット底部は特に、ボールポケット内に収容すべき又は収容されるボールのボール表面に対応する、丸みづけされた（“凹状の”）面−又は平坦な（“まっすぐな”）面（“まっすぐな”面では、場合によっては隅Ｒも含まれる。）を有することができる。
【００３６】
丸みづけされた又は凹状の面の直径はこのとき、ボールポケット内に収容すべき又は収容されるボールのボール径よりわずかに大きくすることもできる。
【００３７】
この（軸方向に突出した）ウェブが、少なくともボール径−場合によってはさらに“張り出し部分”を加えたもの−の軸方向長さを備えている場合、−周方向に（間隔をおいて離れている）隣接するウェブにより形成されたそれぞれの−ボールポケットの軸方向の延在範囲（“ボールポケットの軸方向深さ”）は、少なくともボール径（−場合によってはさらに“張り出し部分”を加えたもの）である。
【００３８】
つまり、簡単に分かりやすく言うと、（ボールベアリングのボール群の）一つ又は複数のボールは、（周方向に隣接する二つのウェブ毎の間に−環状体又はボールベアリング保持器の周方向における−然るべき間隔（“ウェブ間隔”又は“ボールポケット幅”でもある）があれば）ボールベアリング保持器のボールポケット内に−軸方向において−完全に収容することができる。
【００３９】
場合によってはさらに、ウェブは、−ウェブの軸方向長さにおいて然るべき軸方向の“張り出し部分”があれば−両方の又は二つの肩部、すなわち、それぞれのボールベアリングリングの（軸方向に）“近位の”第一肩部及び（軸方向に）“遠位の”第二肩部の上で、肩部によるガイドを行うこともできる。
【００４０】
このとき、周方向に隣接する二つのウェブ毎の間の−環状体又はボールベアリング保持器の周方向における−間隔又はウェブ間隔／ボールポケット幅は、ボール径に−場合によっては与えられた公差を加え、さらには特定のボールポケットすきまを場合によっては加えたものに−略相当する。
【００４１】
周方向に隣接する二つのウェブ間のこの“間隔”は、次のようにして測れる。すなわち、この間隔は、特に軸方向（アキシアル）、つまり、ボールベアリング保持器の軸方向におけるボールポケットの延在範囲、のボールポケットの中心（“ボールポケットの平均的な軸方向の深さ位置”）において、並びに、−略−径方向（ラジアル）、つまり、径方向にボールベアリング保持器の中心点Ｍに向かう又は中心点Ｍから遠ざかるウェブの延在範囲、のウェブの平均的な高さ位置（“ウェブの平均的な径方向の高さ位置”）において、測定することができ、そしてそれは、それら二つのウェブ間にそれらが関わってできる対応する円弧の長さ（“平均ウェブ間隔”又は“平均ボールポケット幅”、図１参照）である。
【００４２】
簡潔に言うと、ボールベアリング保持器において、周方向に隣接する二つのウェブ毎の間の“平均ウェブ間隔”又は“平均ボールポケット幅”は、ボールポケット内に収容すべき又は収容されるボールの略ボール径とすることができるが−場合によっては公差及びボールポケットすきまが加わる。
【００４３】
その際特に、ボールベアリング保持器の周方向に隣接する二つのウェブ端の間の“開いた”間隙（“（ウェブ端における）ボールポケット開口部”）も、ボールポケット内に収容されるボールのそれぞれのボール径と少なくとも同じ大きさにすることができる。
【００４４】
簡潔に分かり易く言うと、自由なウェブ端により形成されたボールポケットの開口部若しくは（周方向に拡がる）開口幅又は“ウェブ端におけるボールポケット開口部”は特に、ボール径と少なくとも同じ大きさとすることができるが−それによりボールポケット又はボールベアリング保持器は、−ボールベアリングの組み立ての際に−ボールの上に（単に）差し込まれ、従来のスナップ形保持器（この場合には、ボールベアリングの周方向に隣接する二つのウェブ端間の“開いた”間隙又は“ウェブ端におけるボールポケット開口部”は、ボールポケット内に収容されるボールのそれぞれのボール径より通常は小さい。）におけるようなボール群とのスナップ嵌め（又はロック）は行われない。
【００４５】
特に、（スナップ式ロックのない）そのようなボールベアリング保持器デザインは、ボールベアリング保持器に−従来のスナップ機構に代わる−別種の“ロック機構”を必要とし、つまり、ボールベアリング保持器が“軸方向に”ボール群から（外れるように）ずれ動き−それによりボールベアリングが自身のボールベアリング保持器を“失う”又はボールベアリング保持器が自身のボールを“失う”ことになりかねないのを防ぐ機構を必要とし、そのボールベアリング保持器デザインのために、ボールベアリング保持器においてはさらに、少なくともウェブの近く又はウェブの上にボールベアリングリングの軌道溝に係合させるためのガイド部が形成されるものとされている。
【００４６】
別の表現で分かり易く言うと、このガイド部は、ボールベアリングリングの軌道溝に係合すると、それにより可能となる−ガイド部と軌道溝との間の−形状結合が、ボールベアリング保持器がボールベアリングから外れるように軸方向にずれ動く又は軌道輪から離れるように軸方向にずれ動くことでボールベアリングが自身のボールベアリング保持器を“失う”ことを防ぐ又はボールベアリング保持器が自身のボールを“失う”ことを防ぐ（“保持機能”）。
【００４７】
その際ガイド部は、一方では、−ボールベアリング外輪の軌道溝と係合させるために−ウェブの径方向外側に形成することができる。すると、そのようなボールベアリング保持器は、特にボールベアリング外輪肩部によりガイドすることができる。
【００４８】
しかし他方では、ガイド部は、−ボールベアリング内輪の軌道溝と係合させるために−ウェブの径方向内側に形成することもできる。この場合には、そのようなボールベアリング保持器は、特にボールベアリング内輪肩部によりガイドすることができる。
【００４９】
ボールベアリング保持器が肩部によりガイドされる場合、すなわち、ボールベアリング内輪肩部によりガイドされるか又はボールベアリング外輪肩部によりガイドされる場合、それによりボールベアリング保持器を正確且つ同心に走行させることが保証できる。
【００５０】
ここで、−ボールベアリングリングの軌道溝と係合させることを可能にする−ガイド部とは、−特にその（空間的な）形状及び／又は外形から−別の構成要素と形状結合させるのに適しているあらゆる構成要素、つまりこの場合は（ボールベアリングリングの又はボールベアリング内輪／ボールベアリング外輪の）軌道溝と形状結合させるのに適しているあらゆる構成要素のことであると解せる。
【００５１】
そのようなガイド部は例えば、−特に−ウェブと一体的に又はウェブ上に形成される部分、特にリブとすることができ、このリブは特に、周方向におけるウェブの幅の略全体にわたってウェブの径方向の外側又は内側に延在している。
【００５２】
ウェブの“幅”とは特に、ボールベアリング保持器の周方向におけるウェブの（同径軸線周りの）延在範囲、分かり易い見方をすれば（円弧の）長さを意味し（図１参照）−そしてそれは、ボールベアリング保持器の径方向外周において測ることができ、ウェブの平均的な径方向の高さ位置において測ることができ、さらにボールベアリング保持器の径方向内周において測ることができる。
【００５３】
そのようなリブ又はガイド部はこのとき、略ボールポケットの平均的な軸方向の深さ位置のところでウェブに配設又は形成することができる。
【００５４】
特にそのようなリブ又はガイド部は、−“通常の”スナップ形保持器における場合と同程度の−軸方向のあそびが−ウェブ又はリブ／ガイド部のボールベアリングリングの軌道溝との係合状態で−形成されるような軸方向の位置においてウェブに配設又は形成することができる。
【００５５】
簡単に別の言い方をすると、ガイド部又はリブは、軸方向において−ガイド部又はリブが軌道溝に（ボールベアリング組み立ての際に）“スナップ嵌合した”ときに、ガイド部の／リブと、軌道溝又はそこでのカロット底部との間に“少しの”（軸方向の）隙間（（わずかな）軸方向のあそび）が形成されるように／形成されるような場所において−ウェブに配設又は形成することができる。
【００５６】
つまり、ボールベアリング保持器は、軸方向にあそびのある状態でボールベアリング内をガイドされることができる。
【００５７】
形状結合による保持機能を改善することができるのは、複数のウェブにおいて又は複数のウェブに対して、特に全てのウェブにおいて、実質的に同一のウェブの特に同じ位置にガイド部がそれぞれ形成されている場合か、又は、四つに一つ若しくは三つに一つ若しくは二つに一つのそれぞれのウェブにおいて、実質的に同一のウェブの特に同じ位置にガイド部がそれぞれ形成されている場合である。
【００５８】
この−ガイド部と軌道溝との間の−形状結合は、ボールベアリング保持器が軸方向にボールベアリングから外れるようにずれ動く又は軸方向に軌道輪から離れるようにずれ動くせいでボールベアリングが自身のボールベアリング保持器を“失う”ことになるのを防ぐ又はボールベアリング保持器が自身のボールを“失う”ことになるのを防ぐものであり（“保持機能”）、この形状結合は、−ボールベアリングが組み立てられた状態で−持続的にずっと保たれ続けるようにすることもできるし、いきなり生じる又はボールベアリング保持器が軸方向にボールベアリングから外れるようにずれ動く恐れがあるときにだけ生じるようにすることもできる。
【００５９】
ガイド部によるこの“正味の”保持機能（そのガイド部又はその保持機能によりボールベアリング保持器が軸方向にボールベアリングから外れるようにずれ動く又は軸方向に軌道輪から離れるようにずれ動くことが防止される。）に加えて、ガイド部は−ガイド部が適切に（ウェブに）位置決めされ及び／又は寸法決めされ及び／又は形状付与されていれば−追加的にガイド機能（つまりこの場合、ボールベアリングリングの軌道溝内のボールベアリング保持器のガイドは、ガイド部により行われる−持続的な形状結合も参照）及び／又は位置決め機能（つまりこの場合、ボールベアリング保持器の軸方向及び／又は径方向の位置決めは、ガイド部を介して行われる−持続的な形状結合も参照）を担うこともできる。
【００６０】
ウェブは、特に両凹形状を備えることができ、その（“内”向きの）丸み／湾曲は、ボールの形状（“円／円弧”）に合わされている。
【００６１】
ボールベアリング保持器の大きな長所の一つはその製造プロセスにある。
【００６２】
ボールベアリング保持器が射出成形により製造される場合、−ボールベアリング保持器の保持器デザイン、ここでは特にスナップ機能のない然るべきボールポケット構造（つまり、“ウェブ端におけるボールポケット開口部”がボールポケット内に収容されるボールのそれぞれのボール径と少なくとも同じ大きさである。）にする保持器デザインのおかげで−射出成形ツール、この場合は上型と、パーティングラインを介して上型に接合される又は接合可能な下型とを有する２部品式の射出成形ツールは、非常に簡易に構成することができる（図１３）。
【００６３】
このときガイド部は、２部品式射出成形ツールのパーティングラインに位置するため、ツール上型を開けることにより、射出成形物を完全に形状結合的に離型することができる。
【００６４】
径方向に配設された（低精度につながり、また、バリの形成を引き起こす）−従来のプラスチック製（スナップ形）保持器においてこれまで必要であった−スライドは、ボールの個数に応じて周方向に均等に角度を分割する点で配慮が求められるが、このスライドをなくすことにより、高精度のボールベアリング保持器を製造することができる。
【００６５】
さらに、（射出成形）ツールが非常に簡易に構成されているという事実により、ツールのコストも明らかに低減させることができる。
【００６６】
また、このボールベアリング保持器は、その設計上、典型的には例えば歯科タービン内の歯科用途のためのボールベアリングといった、ミニチュア・ボールベアリング及び／又は高速ボールベアリングにこのボールベアリング保持器を使用できるようになるという点で有利であることが判明している。
【００６７】
ボールベアリングは、−ボールベアリング保持器の他に−ボールベアリング内輪、ボールベアリング外輪及び所定ボール径の複数のボールを備えるが、複数のボールは、ボールベアリング保持器により−ボールベアリング保持器が組み立てられた状態で−形成されるボールポケットの数に対応し（“ボール群”）、ボールポケットの一つに（ボール群の）ボールの一つがそれぞれ収容されている。ガイド部−場合によっては複数のガイド部であって、そのそれぞれがボールベアリング保持器の一つ一つのウェブに配設されているガイド部−は、ボールベアリング内輪又はボールベアリング外輪の軌道溝に係合している。
【００６８】
このような−ボールベアリング保持器を有した−ボールベアリングは、特に、ラジアル深溝ボールベアリング、アンギュラコンタクトベアリング、スラスト深溝ボールベアリング、スラストアンギュラボールベアリング、４点接触ボールベアリング又はマグネトボールベアリング（ショルダーボールベアリング）であってもよい。
【００６９】
ボールベアリング保持器は、少なくとも部分的に、特には完全にプラスチックからなり、特にポリエーテルエーテルケトン（ＰＥＥＫ）、ポリエーテルケトン（ＰＥＫ）、ポリフェニレンスルファイド（ＰＰＳ）、ポリフェニルスルホン（ＰＰＳＵ）、ポリアミドイミド（ＰＡＩ）、ポリイミド（ＰＩ）又はフェノール樹脂（ＰＦ）、特に綿繊維強化フェノール樹脂（ＰＦ）からなるようにしてもよい。
【００７０】
また、ボールベアリングにおけるボールベアリング保持器が、内輪案内保持器として又は外輪案内保持器として、とりわけ内輪案内保持器として構成されているようにしてもよい。この場合、ボールベアリング保持器の外周が外側軌道輪の内周上を滑走するか又はボールベアリング保持器の内周が内側軌道輪の外周上を滑走する。
【００７１】
ボールベアリング外輪（外側軌道輪でもある）及び／又はボールベアリング内輪（内側軌道輪でもある）は、例えば、１００Ｃｒ６（ＤＩＮ（ドイツ工業規格）材料番号（Ｗｅｒｋｓｔｏｆｆ−Ｎｒ．）１.３５０５）であるおよそ炭素１％とクロム１．５％を含有する鋼等のクロム鋼から製造されているのでもよい。他の−外側軌道輪及び／又は内側軌道輪のための−鋼として考えられるのは、例えば、１００ＣｒＭｎ６及び１００ＣｒＭｏ６であり、これらの合金元素のマンガン（Ｍｎ）とモリブデン（Ｍｏ）は、この場合、焼入れ性を向上させるのに役立つ。
【００７２】
腐食性環境下でのボールベアリングの用途のために、高合金鋼Ｘ６５Ｃｒ１３（ＤＩＮ材料番号１.４０３７）及びＸ１０５ＣｒＭｏ１７（ＤＩＮ材料番号１.４１２５）又はＸ３０ＣｒＭｏＮ１５−１（ＤＩＮ材料番号１.４１０８）を−内側軌道輪及び／又は外側軌道輪において−用いることができる。後者の鋼は、人体臓器内にも少なくとも数日間使用することができる。
【００７３】
特殊な動作仕様に対しては、ボールベアリングは、例えば工作機械のスピンドル軸受の場合、軸受リングないし走行リムが鋼からなり、ボールがセラミックからなる（二材料の）ハイブリッド軸受として設けられていてもよいし、走行リムもボールもいずれもセラミックからなるセラミック軸受として設けられていてもよいし、或いはまた、化学産業及び食品産業における腐食性の酸やアルカリに耐えるガラスないしセラミックからなるボールを有したプラスチック軸受として設けられていてもよい。
【００７４】
本発明の好ましい発展形態は、従属請求項からももたらされる。発展形態は、ボールベアリング保持器とボールベアリングのいずれにも関係する。
【００７５】
こうして好ましくは、ガイド部をウェブの径方向外側に形成してボールベアリング外輪の軌道溝と係合させるようにしてもよいし、又は、ガイド部をウェブの径方向内側に形成してボールベアリング内輪の軌道溝と係合させるようにしてもよい。
【００７６】
また、ガイド部がウェブと一体的に形成されているようにしてもよく、特に、ボールベアリング保持器が軸方向にあそびのある状態でボールベアリング内をガイドされ得るようなウェブの軸方向位置に形成されているようにしてもよい。
【００７７】
別の好ましい発展形態によると、複数のウェブにおいて又は複数のウェブに対して、特に全てのウェブにおいて、実質的に同一であるウェブの特に同じ位置にガイド部がそれぞれ形成されているか、又は、四つに一つ若しくは三つに一つ若しくは二つに一つのそれぞれのウェブにおいて、実質的に同一であるウェブの特に同じ位置にガイド部がそれぞれ形成されているものとされている。
【００７８】
ガイド部は、隆起部として、特に、周方向に延在する隆起部として、特に、周方向に延在するリブとして形成することができる。
【００７９】
特に、周方向に延在するそのようなリブは、周方向におけるウェブの幅の略全体にわたってウェブの径方向の外側又は内側に延在することができる。
【００８０】
発展的には、周方向に隣接する二つのウェブ毎の間において、同径軸線周りに延在する環状体に形成されたカロット底部が、平坦な面又は丸みづけされた面を有するようにしてもよい。
【００８１】
好ましくはウェブが、軸方向に円筒状の径方向外面を有するようにしてもよい。この形態又はこの保持器デザインは、好ましくは、回転数に起因してボールベアリングに発生する遠心力によってカロット・ノーズ部（Ｋａｌｏｔｔｅｎ−Ｎａｓｅ）が外側に曲がらない深溝ボール軸受に使用することができる。
【００８２】
これに代えて、ウェブが、軸方向に円すい状の径方向外面、特に略２°から略２０°の間のコーヌス角、特に略７°から略１２°の間のコーヌス角を有する円すい状の径方向外面を有するようにしてもよい。これにより、回転数に起因してボールベアリングに発生する遠心力によってカロット・ノーズ部が外側に曲がることができ、このとき外側に湾曲したカロット・ノーズ部が、外側軌道輪の肩部又は走行軌道に接触することを防ぐことができる。
【００８３】
さらに発展的には、ボールベアリング保持器は、少なくとも部分的に、特には完全にプラスチックからなり、特にポリエーテルエーテルケトン（ＰＥＥＫ）、ポリエーテルケトン（ＰＥＫ）、ポリフェニレンスルファイド（ＰＰＳ）、ポリフェニルスルホン（ＰＰＳＵ）、ポリアミドイミド（ＰＡＩ）、ポリイミド（ＰＩ）又はフェノール樹脂（ＰＦ）、特に綿繊維強化フェノール樹脂（ＰＦ）からなるか又は製造されている／されるようにしてもよい。
【００８４】
一つの発展形では、ボールベアリング保持器は、耐磨耗性の材料ないし滑りを調整された材料からなるようにしてもよい。
【００８５】
さらに発展的には、周方向に隣接する二つのウェブ毎の、周方向におけるボールベアリング保持器の外周側での間隔（ウェブ間隔又はボールポケット幅）は、それら二つのウェブの、ボールベアリング保持器の内周側での間隔よりも大きく設けてもよい。
【００８６】
このように内周側又は外周側において（ボールポケット幅の）間隔寸法が異なる結果、特に、ボールベアリング保持器に形成されるボールポケットがボールベアリング保持器の外周側又は内周側においてそれぞれ（周方向に）異なるボールポケット幅を有することになる（“漏斗形”のボールポケット）。
【００８７】
この種の−ボールベアリング保持器の外周側又は内周側で異なるボールポケット幅（又はウェブ間隔）を有する−保持器のデザイン（及びその製造）は、特許文献２（ＤＥ１０２０１４００８７６３Ｂ４）（Ｇｅｂｒｕｅｄｅｒ  Ｒｅｉｎｆｕｒｔ  ＧｍｂＨ＆Ｃｏ．ＫＧ），２０１５年１２月１７日（公開日），段落［００１８］以下に−同文献の特に１部品式の内輪案内スナップ形保持器又は外輪案内スナップ形保持器についての図５から図７及び図１０又は図１５から図１７及び図２０とともに述べられており、これに関連したその内容は、かくして目下の実施例の一部になっている（特許文献２には、“ボールベアリング保持器の外周側のボールポケットの長さが、ボールベアリング保持器の内周側のボールポケットの長さよりも大きい”との記載（特許文献２の段落［００２８］参照）がある。）。
【００８８】
さらに、周方向に隣接する二つのウェブ毎の間の−環状体又はボールベアリング保持器の周方向における−（ウェブ）間隔又は平均ウェブ間隔は、ボール径に−場合によっては与えられた公差を加え、さらには特定のボールポケットすきまを場合によっては加えたものに−略相当するようにしてもよい。
【００８９】
ここではさらに、ボールベアリング保持器の周方向に隣接する二つのウェブ端の間の“開いた”間隙（“（ウェブ端における）ボールポケット開口部”）も、ボールポケット内に収容されるボールのそれぞれのボール径と−場合によっては与えられた公差を加え、さらには特定のボールポケットすきまを場合によっては加えたものと−同じ大きさとしてもよい。
【００９０】
簡潔に分かり易く言うと、自由なウェブ端により形成されたボールポケットの開口部若しくは（周方向に拡がる）開口幅又はウェブ端におけるボールポケット開口部は、ボール径と（略）同じ大きさとすることができる。
【００９１】
場合によってはウェブ端におけるボールポケット開口部の開口幅は、ボール径より大きくすることもでき、それによりボール群の上へのボールベアリング保持器の差し込みが容易になる。
【００９２】
好ましくは、ボールベアリング保持器は、切削形成加工によるか、積層造形、特に３Ｄプリントによるか又は射出成形により製造される又は製造されているものでもよい。特に射出成形により製造すると、簡易でコスト安なツール、公差及び／又は寸法許容差がわずかな高精度ボールベアリング保持器といった利点が得られる。
【００９３】
好ましくは、ボールベアリング保持器は、単列ラジアル深溝ボールベアリングに使用又は利用されるようにしてもよい。
【００９４】
また、好ましくは、ボールベアリング保持器は、高速用途のために／において利用又は使用され、回転数のパラメータがおよそｎ×ｄｍ≧１００００００ｍｍ／分（ここで、ｎは内側軌道輪の回転数に対応し、ｄｍは平均軸受径に対応する。）の範囲にある歯科タービンの場合の例のように、例えば歯科技術に応用又は使用されるようにしてもよい。この平均軸受径ｄｍは、ボールベアリングの外径と穴径との間の平均値として算出される。
【００９５】
一発展形では、（ボールベアリング保持器を有した）ボールベアリングのボールは、５ｍｍ未満の所定ボール径を有するようにしてもよい。
【００９６】
好ましくは、ボールベアリング（及び／又はボールベアリング保持器）は、歯科用装置、特に歯科タービンに使用される又は使用されているようにしてもよい。
【００９７】
ボールベアリング保持器を−射出成形により−製造するための射出成形ツールは、好ましくはパーティングラインを介して接合可能な、又は、分割可能な二つのツール部分を有しており、これら両方のツール部分は、接合された状態でボールベアリング保持器の形をかたどったボールベアリング保持器のための空洞（“めす型”）を形成し、このときガイド部はパーティングラインに位置する。
【００９８】
本発明の有利な形態のこれまでに与えられた説明は、多くの特徴を含み、そのいくつかは、個々の従属請求項に要約されている。しかしながら、当業者であれば、これらの特徴を目的に合せて個別に着目もし、有用なさらなる別の組み合わせに集約するであろう。
【００９９】
本発明の上記の特性、特徴及び長所並びにそれらがどのようにして実現されるかについての態様は、図面に関連させて詳細に説明される一つ又は複数の実施例についての以下の記載との関係でよりはっきり明確に理解できるようになる。
【０１００】
しかしながら、本発明は、機能的な特徴に関してであっても、一つ又は複数の実施例において示される特徴の組み合わせには限定されない。そのため、組み合わせに適したどの実施例の特徴も、明確に分離して着目することもでき、一つの実施例から切り離されて、他の実施例にその実施例を補足するために導入することができる。
【０１０１】
同じ部材、構成要素等は、図において同一の符号により示されている。一点鎖線は断面を明示し、一続きの線（実線）はエッジを示している。
【図面の簡単な説明】
【０１０２】
【図１】第一の実施例によるボールベアリング保持器を示す図である（斜視図、円筒状外面、凹状のカロット底部）。
【図２】第一の実施例によるボールベアリング保持器、ボール及び内輪を示す図である（斜視図、円筒状外面、凹状のカロット底部）。
【図３】第一の実施例による内輪案内ボールベアリング保持器を有するラジアル深溝ボールベアリングを示す図である（断面図、円筒状外面、凹状のカロット底部）。
【図４】第二の実施例によるボールベアリング保持器を示す図である（斜視図、円筒状外面、まっすぐなカロット底部）。
【図５】第二の実施例によるボールベアリング保持器、ボール及び内輪を示す図である（斜視図、円筒状外面、まっすぐなカロット底部）。
【図６】第二の実施例による内輪案内ボールベアリング保持器を有するラジアル深溝ボールベアリングを示す図である（断面図、円筒状外面、まっすぐなカロット底部）。
【図７】第三の実施例によるボールベアリング保持器を示す図である（斜視図、円すい状外面、凹状のカロット底部）。
【図８】第三の実施例によるボールベアリング保持器、ボール及び内輪を示す図である（斜視図、円すい状外面、凹状のカロット底部）。
【図９】第三の実施例による内輪案内ボールベアリング保持器を有するラジアル深溝ボールベアリングを示す図である（断面図、円すい状外面、凹状のカロット底部）。
【図１０】第四の実施例によるボールベアリング保持器を示す図である（斜視図、円すい状外面、まっすぐなカロット底部）。
【図１１】第四の実施例によるボールベアリング保持器、ボール及び内輪を示す図である（斜視図、円すい状外面、まっすぐなカロット底部）。
【図１２】第四の実施例による内輪案内ボールベアリング保持器を有するラジアル深溝ボールベアリングを示す図である（断面図、円すい状外面、まっすぐなカロット底部）。
【図１３】ボールベアリング保持器を製造するための２部品式射出成形ツール（上型／下型）を（ここでは例えば第四の実施例により、斜視図で）示す図である。
【図１４】ボールベアリングの（１部品式）プラスチック製（スナップ形）保持器の従来デザインを示す図である。
【発明を実施するための形態】
【０１０３】
円筒状外面又は円すい状外面２６，２８，３０及び凹状の又はまっすぐなカロット底部５４，６６，７０を有するボールベアリング保持器２（図１から図３、図４から図６、図７から図９、図１０から図１２）
【０１０４】
図１から図３には（ボールベアリング保持器２単体、内輪４２を合わせたボールベアリング保持器２及び単列ラジアル深溝ボールベアリング４０内に組み込まれたボールベアリング保持器２という異なる構成群で）ボールベアリング保持器２の第一の実施例（“円筒状外面２８及び凹状カロット底部７０を有するボールベアリング保持器２”）が示されている。
【０１０５】
図４から図６には（同様に、ボールベアリング保持器２単体、内輪４２を合わせたボールベアリング保持器２及び単列ラジアル深溝ボールベアリング４０内に組み込まれたボールベアリング保持器２という異なる構成群で）ボールベアリング保持器２の第二の実施例（“円筒状外面２８及びまっすぐなカロット底部６６を有するボールベアリング保持器２”）が示されている。
【０１０６】
図７から図９には（同様に、ボールベアリング保持器２単体、内輪４２を合わせたボールベアリング保持器２及び単列ラジアル深溝ボールベアリング４０内に組み込まれたボールベアリング保持器２という異なる構成群で）ボールベアリング保持器２の第三の実施例（“円すい状外面３０及び凹状カロット底部７０を有するボールベアリング保持器２”）が示されている。
【０１０７】
図１０から図１２には（同様に、ボールベアリング保持器２単体、内輪４２を合わせたボールベアリング保持器２及び単列ラジアル深溝ボールベアリング４０内に組み込まれたボールベアリング保持器２という異なる構成群で）ボールベアリング保持器２の第四の実施例（“円すい状外面３０及びまっすぐなカロット底部６６を有するボールベアリング保持器２”）が示されている。
【０１０８】
−この場合には−単列ラジアル深溝ボールベアリング４０（簡潔に以下“ボールベアリング”と呼ぶ。）の（上述の四つ全ての実施例による）これらボールベアリング保持器２（簡潔に“ボールベアリング保持器”又は“複数の／全てのボールベアリング保持器”）は、図１から図１２に示されているように、同径軸線周りに延在する環状体４、つまり保持器背部４を有しており、当該保持器背部には、−ボールベアリング保持器２又は保持器背部４の周方向６に（簡潔に単に“周方向６に”）−実質的に均等に分散させて配置された、互いに同じに形成された、所定の軸方向長さ１６で軸方向１４に突出したウェブ１８が配設されており、これらウェブ１８は、軸方向１４に一方に開いた複数のボールポケット８を形成し、それらに対応する個数の所定のボール径１２を有するボール１０を収容する。
【０１０９】
ウェブ１８は、図１から図１２が示し又は明らかにしているように、−断面では−両凹状であり、その両側の（“内”向きの）丸み／湾曲は、ボール１０の形（“円／円弧”）に合わされている。
【０１１０】
この場合、ボールベアリング保持器２の、形成されたボールポケット８のそれぞれが、一つのボール１０を収容する。ボールベアリング保持器２の、形成されたボールポケット８に収容される全てのボール１０は、それら全体では（ボールベアリング又は単列ラジアル深溝ボールベアリング４０の）ボール群５０とも呼ばれる。
【０１１１】
このとき、ボールベアリング保持器２におけるウェブ１８の−所定の−軸方向長さ１６は、ボールポケット８（図１，４，７及び１０参照）に収容すべき又は収容されるボール１０のボール径１２に張り出し部分９８（図２，５，８及び１１並びに図３，６，９及び１２参照）を加えたものに略相当する。
【０１１２】
ボールベアリング保持器２におけるウェブ１８の軸方向長さ１６又は張り出し部分９８は、図３，６，９及び１２にも示されているように、ウェブ１８がそれぞれ、ボールベアリング内輪４２の（軸方向に）“遠位の”第二肩部９６を径方向に臨む領域へと軸方向に突出する（ボールベアリング内輪９４の（軸方向に）“近位の”第一肩部９４は、軸方向において、ボールベアリング保持器２の保持器背部４を径方向に臨む領域に位置する。）（又はボールベアリング内輪４２の（軸方向に）“遠位の”第二肩部９６と、ボールベアリング外輪４４の（軸方向に）“遠位の”第二肩部９６との径方向における間の領域へと軸方向に突出する）ように寸法が決められている。
【０１１３】
つまり、ウェブ１８の−所定の−軸方向長さ１６は、軸方向におけるウェブ１８の自由端部９２が、ボールベアリング内輪４２の（軸方向に）“遠位の”第二肩部９６を径方向に臨む領域へと突出するように（又は軸方向において、ボールベアリング内輪４２の（軸方向に）“遠位の”第二肩部９６と、ボールベアリング外輪４４の（軸方向に）“遠位の”第二肩部９６との径方向における間の領域に位置するように）寸法が決められている。
【０１１４】
簡潔に言うと、ウェブ１８はそれぞれ、軸方向において、ボールベアリング内輪４２の（軸方向に）“遠位の”第二肩部９６に（も）−少なくとも部分的に−覆い被さっている。
【０１１５】
つまり、ボールベアリング保持器２が−この場合のように−ボールベアリング内輪肩部によりガイドされる場合、（組み込まれた）ボールベアリング保持器２は、両方の又は二つの肩部９４，９４の上で（つまり、ボールベアリング内輪９２の（軸方向に）“近位の”第一肩部９４及び（軸方向に）“遠位の”第二肩部９６の上で）ガイドされる。
【０１１６】
簡潔に分かり易く言うと、ボールベアリング保持器２の保持器背部４には、−周方向６に略一様に分布させた且つ同じに形成された−軸方向１４に突出するウェブ１８が配設され、これらウェブが、これらウェブにより形成することができるボールポケット８を周方向６において画成する。
【０１１７】
図１から図１２に示されているように、二つの隣接する（（同径軸線周りに拡がる）所定の間隔２０をおいて離れている）軸方向１４に突出したウェブ１８毎にそれぞれ形成されるボールポケット８は、両方のウェブ１８の−周方向６における−間において保持器背部４上に形成されたカロット底部５４によりさらに画成される。
【０１１８】
このカロット底部５４は、ボールポケット８に収容すべき又は収容されるボール１０のボール表面に対応する、丸みづけされた（“凹状”）面７０（図１から図３及び図７から図９参照）−又は平坦な（“まっすぐな”）面６６（隅Ｒを含む）（図４から図６及び図１０から図１０参照）を有することができる。
【０１１９】
図１から図１２に示されているように、この（軸方向１４に突出した）ウェブ１８が、略ボール径１２に張り出し部分９８を加えた軸方向長さ１６を備えている場合、−周方向６に（間隔２０をおいて離れている）隣接するウェブ１８により形成されたそれぞれの−ボールポケット８の軸方向の延在範囲６４（“ボールポケットの軸方向深さ”，６４）も略、ボール径１２に張り出し部分９８を加えたものである。
【０１２０】
このとき、ボールベアリング保持器２は、ボールベアリング内輪肩部７８によりガイドされており（図３，６，９及び１２参照）、すなわち、ボールベアリング保持器２の内周３８がボールベアリング４０の内側の軌道輪４２の外周７６上、すなわち、内側軌道輪４２の（軸方向に）“近位の”第一の肩部９４及び内側軌道輪４２の（軸方向に）“遠位の”第二の肩部９６上を滑走するため、ボールベアリング保持器２が（ボールベアリング４０内で）正確に、同心に且つ安定して走行することを保証することができる。
【０１２１】
つまり、簡単に分かり易く言うと、（単列ラジアル深溝ボールベアリング４０のボール群５０の）一つの又は複数のボール１０は、（周方向６に隣接する二つのウェブ１８毎の間に−保持器背部４又はボールベアリング保持器２の周方向６における−然るべき間隔２０（“ウェブ間隔又はボールポケット幅”，２０）があれば）ボールベアリング保持器２のボールポケット８内に−軸方向１４において−完全に（さらに張り出し部分９８も用いて）収容することができる。周方向６に隣接する二つのウェブ１８毎の間の−保持器背部４又はボールベアリング保持器２の周方向６における−間隔２０又はボールポケット幅２０は、図１から図１２に示されているように、ボール径１２に−場合によっては与えられた公差を加え、さらには特定のボールポケットすきまを場合によっては加えたものに−略形成されている。
【０１２２】
周方向に隣接する二つのウェブ間のこの“間隔”は、次のようにして測れる。すなわち、この間隔は、特に軸方向１４、つまり、ボールベアリング保持器２の軸方向１４におけるボールポケット８の延在範囲、のボールポケット５８の中心（“ボールポケットの平均的な軸方向の深さ位置”，５８）において、並びに、−略−径方向５６、つまり、径方向５６にボールベアリング保持器２の中心点Ｍ６２に向かう又は中心点Ｍ６２から遠ざかるウェブ１８の延在範囲、のウェブ１８の平均的な高さ位置６０（“ウェブの平均的な径方向の高さ位置”，６０）において、測定することができ、そしてそれは、それら二つのウェブ間にそれらが関わってできる対応する円弧の長さである（“平均ウェブ間隔”又は“平均ボールポケット幅”，２０、図１参照）。
【０１２３】
簡潔に言うと、ボールベアリング保持器２において、“平均ウェブ間隔”２０又は“平均ボールポケット幅”２０は、ボールポケット８に収容すべき又は収容されるボール１０の略ボール径１２であるが−場合によっては公差及びボールポケットすきまが加わる。
【０１２４】
図１から図１２に示されているように、二つのボールベアリング保持器２の周方向６に隣接する二つのウェブ端９２の間の“開いた”間隙９０（“（ウェブ端にある）ボールポケット開口部”，９０）は、ボールポケット８内に収容されるボール１０のそれぞれのボール径１２と略同じ大きさである。
【０１２５】
簡潔に分かり易く言うと、“ウェブ端９２におけるボールポケット開口部９０”は、ボール径１２と略同じ大きさである−それによりボールポケット８又はボールベアリング保持器２は、−ボールベアリング４０の組み立ての際に−ボール１０の上に（単に）差し込まれ、従来のスナップ形保持器（この場合には、“ウェブ端９２におけるボールポケット開口部９０”は、ボールポケット８内に収容されるボール１０のそれぞれのボール径１２より通常は小さい。）におけるようなボール群５０とのスナップ嵌め（又はロック）は行われない。
【０１２６】
ボールベアリング保持器２における（スナップ式ロックのない）そのようなボールベアリング保持器デザインは、ボールベアリング保持器２に−従来のスナップ機構に代わる−別種の“ロック機構”を必要とし、つまり、ボールベアリング保持器２が“軸方向”１４にボール群５０から（外れるように）ずれ動き−それによりボールベアリング２が自身のボールベアリング保持器２を“失う”又はボールベアリング保持器２が自身のボール１０を“失う”ことになりかねないのを防ぐ機構を必要とし、図１から図１２に示されているように、そのボールベアリング保持器デザインのために、ボールベアリング保持器２においては、ボールベアリング保持器２のウェブ１８の上に、つまり、ウェブ１８の径方向内側３２において、そこのボールポケットの平均的な軸方向の深さ位置５８の略領域に、ボールベアリングリング４２，４４の軌道溝４６，４８に係合させるための、つまりこの場合はボールベアリング内輪４２の軌道溝４６に係合させるための−ウェブ１８の幅２２にわたって延在する、ウェブ１８又はボールベアリング保持器２と一体的に形成されたリブ２４（図１，４，７及び１０参照）の形態の−ガイド部２４が形成されるようになっている（図２，５，８及び１１並びに図３，６，９及び１２参照）。
【０１２７】
そのため、−ボールポケットの平均的な軸方向の深さ位置５８の略領域の−ウェブ１８の径方向内側３２におけるリブ２４のこの軸方向の位置は、−“通常の”スナップ形保持器の場合と同程度の−軸方向のあそびが−ウェブ１８又はリブ２４がボールベアリング内輪４２の軌道溝４６に係合した状態で−形成されるように決められている。
【０１２８】
このガイド部２４又はリブ２４が、（ボールベアリング４０の組み立ての際に）ボールベアリング内輪４２の軌道溝４６に係合すると（図２，５，８及び１１、並びに図３，６，９及び１２参照）、それにより可能となる−ガイド部２４又はリブ２４と軌道溝４６との間の−形状結合が、ボールベアリング保持器２が軸方向１４にボールベアリング４０から外れるようにずれ動く又は軸方向１４に軌道輪／ボールベアリング内輪４２から離れるようにずれ動くことでボールベアリング４０が自身のボールベアリング保持器２を“失う”ことを防ぐ又はボールベアリング保持器２が自身のボール１０を“失う”ことを防ぐ（“保持機能”）。
【０１２９】
このとき、ボールベアリング保持器２は、ボールベアリング内輪肩部７８によりガイドされており（図３，６，９及び１２参照）、すなわち、ボールベアリング保持器２の内周３８がボールベアリング４０の内側の軌道輪４２の外周７６上、すなわち、内側軌道輪４２の（軸方向に）“近位の”第一肩部９４及び内側軌道輪４２の（軸方向に）“遠位の”第二肩部９６上を滑走するため、ボールベアリング保持器２が（ボールベアリング４０内で）正確に、同心に且つ安定して走行することを保証することができる。
【０１３０】
ボールベアリング保持器２は、−射出成形３６により（図１３参照）−例えばポリエーテルエーテルケトン（ＰＥＥＫ）、ポリエーテルケトン（ＰＥＫ）、ポリフェニレンスルファイド（ＰＰＳ）、ポリフェニルスルホン（ＰＰＳＵ）、ポリアミドイミド（ＰＡＩ）又はポリイミド（ＰＩ）といった高性能プラスチックから製造されている。
【０１３１】
単列ラジアル深溝ボールベアリング４０の外側軌道輪４４及び内側軌道輪４２は、例えば、１００Ｃｒ６（ＤＩＮ（ドイツ工業規格）材料番号（Ｗｅｒｋｓｔｏｆｆ−Ｎｒ．）１.３５０５）であるおよそ炭素１％とクロム１．５％を含有する鋼等のクロム鋼から製造されているのでもよい。
【０１３２】
ボールベアリング保持器２又はボールベアリング４０において使用されているボール群５０のボール１０は、およそ１ｍｍという所定のボール径１２を有している。単列ラジアル深溝ボールベアリング４０は歯科用途、すなわち歯科用タービンに用いられる。
【０１３３】
ボールベアリング保持器２−これまで述べてきたもの−は、ボールベアリング保持器のこれまでの形態、特に、張り出し部分９８を加えた略ボール径１２の軸方向の延在範囲１４を有し且つガイド部２４又はリブ２４を有するそのウェブの形態（図１から図１２参照）に加えてさらに、外面２６，２８，３０及びカロット底部５４，６６，７０に関して様々に異なる形態を有していてよい。
【０１３４】
［実施例１］
−“円筒状外面２８及び凹状カロット底部７０を有するボールベアリング保持器２”（図１から図３）
【０１３５】
図１から図３には（ボールベアリング保持器２単体（図１）、内輪４２を有するボールベアリング保持器２（図２）及び単列ラジアル深溝ボールベアリング４０に組み込まれたボールベアリング保持器２（図３）という様々な構成群で）、円筒状外面２８及び凹状カロット底部７０を有するボールベアリング保持器２の第一の実施例が示されている。
【０１３６】
図１から図３に示されているように、この第一の実施例によるボールベアリング保持器２又はそのウェブ１８は、軸方向１４において円筒状の径方向外面２８を有している。
【０１３７】
この形態又はこの保持器デザインは、好ましくは、回転数に起因してボールベアリングに発生する遠心力によってカロット・ノーズ部が外側に曲がらないような単列ラジアル深溝ボールベアリングに使用することができる。
【０１３８】
図１から図３に示されているように、この第一の実施例によるボールベアリング保持器２はさらに、カロット底部５４を有しており、このカロット底部５４は、ボールポケット８に収容すべき又は収容されるボール１０のボール表面に合せて丸みづけされた（“凹状”）面７０を有している。
【０１３９】
図２には−ボールベアリング内輪肩部７８によりガイドされる−この第一の実施例によるボールベアリング保持器２が、対応して設けられるボールベアリング内輪４２及びボールポケット８内に収容されたボール１０と共に示されている。
【０１４０】
図３には、ボールベアリング内輪４２、ボールベアリング外輪４４及び−ボールベアリング内輪肩部７８によりガイドされる−（第一の実施例による）ボールベアリング保持器２並びにボールポケット８内に収容されたボール１０を有する−完全な又は完全に組み立てられた−ボールベアリング４０が示されている。
【０１４１】
［実施例２］
−“円筒状外面２８及びまっすぐなカロット底部６６を有するボールベアリング保持器２”（図４から図６）
【０１４２】
図４から図６には、（同様に、ボールベアリング保持器２単体（図４）、内輪４２を有するボールベアリング保持器２（図５）及び単列ラジアル深溝ボールベアリング４０に組み込まれたボールベアリング保持器２（図６）という様々な構成群で）円筒状外面２８及びまっすぐなカロット底部６６を有するボールベアリング保持器２の第二の実施例が示されている。
【０１４３】
図４から図６に示されているように、この第二の実施例によるボールベアリング保持器２又はそのウェブ１８も、軸方向１４において円筒状の径方向外面２８を有している。
【０１４４】
図４から図６に示されているように、この第二の実施例によるボールベアリング保持器２はまた、平坦な（“まっすぐな”）面６６を持つカロット底部５４も有している。
【０１４５】
図５には、−ボールベアリング内輪肩部７８によりガイドされる−この第二の実施例によるボールベアリング保持器２が、対応して設けられるボールベアリング内輪４２及びボールポケット８内に収容されたボール１０と共に示されている。
【０１４６】
図６には、ボールベアリング内輪４２、ボールベアリング外輪４４及び−ボールベアリング内輪肩部７８によりガイドされる−（第二の実施例による）ボールベアリング保持器２並びにボールポケット８内に収容されたボール１０を有する−完全な又は完全に組み立てられた−ボールベアリング４０が示されている。
【０１４７】
［実施例３］
−“円すい状外面３０及び凹状カロット底部７０を有するボールベアリング保持器２”（図７から図９）
【０１４８】
図７から図９には、（同様に、ボールベアリング保持器２単体（図７）、内輪４２を有するボールベアリング保持器２（図８）及び単列ラジアル深溝ボールベアリング４０に組み込まれたボールベアリング保持器２（図９）という様々な構成群で）円すい状外面３０及び凹状カロット底部７０を有するボールベアリング保持器２の第三の実施例が示されている。
【０１４９】
図７から図９に示されているように、この第三の実施例によるボールベアリング保持器２又はそのウェブ１８は、例えばここでは略１０°のコーヌス角５２を有する、軸方向１４において円すい状の径方向外面３０を有している。
【０１５０】
これにより、回転数に起因してボールベアリングに発生する遠心力によってカロット・ノーズ部が外側に曲がることができ、このとき外側に湾曲したカロット・ノーズ部が、外側軌道輪の肩部又は走行軌道に接触することを防ぐことができる。
【０１５１】
図７から図９に示されているように、この第三の実施例によるボールベアリング保持器２はさらに、ボールポケット８に収容すべき又は収容されるボール１０のボール表面に合せて丸みづけされた（“凹状”）面７０を有するカロット底部５４を有している。
【０１５２】
図８には、−ボールベアリング内輪肩部７８によりガイドされる−この第三の実施例によるボールベアリング保持器２が、対応して設けられるボールベアリング内輪４２及びボールポケット８内に収容されたボール１０と共に示されている。
【０１５３】
図９には、ボールベアリング内輪４２、ボールベアリング外輪４４及び−ボールベアリング内輪肩部７８によりガイドされる−（第三の実施例による）ボールベアリング保持器２並びにボールポケット８内に収容されたボール１０を有する−完全な又は完全に組み立てられた−ボールベアリング４０が示されている。
【０１５４】
［実施例４］
−“円すい状外面３０及びまっすぐなカロット底部６６を有するボールベアリング保持器２”（図１０から図１２）
【０１５５】
図１０から図１２には、（同様に、ボールベアリング保持器２単体（図１０）、内輪４２を有するボールベアリング保持器２（図１１）及び単列ラジアル深溝ボールベアリング４０に組み込まれたボールベアリング保持器２（図１２）という様々な構成群で）円すい状外面３０及びまっすぐなカロット底部６６を有するボールベアリング保持器２の第四の実施例が示されている。
【０１５６】
図１０から図１２に示されているように、この第四の実施例によるボールベアリング保持器２又はそのウェブ１８は、例えばここでも略１０°のコーヌス角５２を有する、軸方向１４において円すい状の径方向外面３０を有している。
【０１５７】
図１０から図１２に示されているように、第四の実施例によるボールベアリング保持器２はさらに、平坦な（“まっすぐな”）面６６を有するカロット底部５４を有している。
【０１５８】
図１１には、−ボールベアリング内輪肩部７８によりガイドされる−この第四の実施例によるボールベアリング保持器２が、対応して設けられるボールベアリング内輪４２及びボールポケット８内に収容されたボール１０と共に示されている。
【０１５９】
図１２には、ボールベアリング内輪４２、ボールベアリング外輪４４及び−ボールベアリング内輪肩部７８によりガイドされる−（この第四の実施例による）ボールベアリング保持器２並びにボールポケット８内に収容されたボール１０を有する−完全な又は完全に組み立てられた−ボールベアリング４０が示されている。
【０１６０】
［実施例５］
射出成形３６によるボールベアリング保持器２の製造
【０１６１】
これら全てのボールベアリング保持器２の大きな利点は特に、その製造プロセスにある。
【０１６２】
ボールベアリング保持器２が射出成形３６により製造される場合、−ボールベアリング保持器２の保持器デザインのおかげで−図１３に示されているように、射出成形ツール８０、この場合は上型８２と、パーティングライン８８を介して上型８２に接続された又は接続可能な下型８４とを有する２部品式射出成形ツール８０は、非常に簡易に構成することができる。
【０１６３】
図１３から明らかなように、パーティングライン８８を介して接合された上型及び下型はこのとき、ボールベアリング保持器２のめす型８６を形成する。
【０１６４】
図１３からまた明らかなように、このときガイド部２４は、２部品式射出成形ツール８０のパーティングライン８８に位置するため、ツール上型８２を開けることにより、射出成形物を完全に形状結合的に離型することができる。
【０１６５】
本発明を好ましい例示的な実施例によってより詳細に例示及び説明したが、本発明は、そのことによって開示された例に限定されているわけではないし、当業者がそこから本発明の範囲を逸脱することなく他の変形例を導き出すことが可能である。
【符号の説明】
【０１６６】
２      ボールベアリング保持器
４      環状体／保持器背部
６      ボールベアリング保持器２又はボールベアリング４０の周方向
８      ボールポケット
１０    ボール
１２    ボール径
１４    軸方向、軸方向に
１６    ウェブ１８の軸方向長さ
１８    ウェブ
２０    間隔、（隣接する二つのウェブ１８の間の）円弧長、（平均）ウェブ間隔、（平均）ボールポケット幅
２２    周方向６における円弧に沿ったウェブ１８の延在範囲、ウェブ１８の幅（円弧長）
２４    ガイド部、リブ
２６    ウェブ１８の径方向外側／径方向外面
２８    円筒状の径方向外面
３０    円すい状の径方向外面
３２    ウェブ１８の径方向内側／径方向内面
３４    ボールベアリング保持器２又はボールベアリング４０の外周
３６    射出成形
３８    ボールベアリング保持器２又はボールベアリング４０の内周
４０    ボールベアリング、（単列）ラジアル深溝ボールベアリング
４２    ボールベアリング内輪、内側軌道輪
４４    ボールベアリング外輪、外側軌道輪
４６    ボールベアリング内輪、内側軌道輪４２の軌道溝
４８    ボールベアリング外輪、外側軌道輪４４の軌道溝
５０    ボール群
５２    コーヌス角
５４    カロット底部
５６    径方向
５８    ボールポケット８の軸方向中心、ボールポケットの平均的な軸方向の深さ位置
６０    ウェブ１８の平均的な径方向の高さ位置
６２    ボールベアリング保持器２又はボールベアリング４０の中心点Ｍ
６４    ボールポケット８の（軸方向１４における）深さ、ボールポケット８の軸方向１４の延在範囲
６６    カロット底部５４の平坦な／まっすぐな面
６８    半径Ｒ
７０    カロット底部５４の丸みづけされた／凹状の面
７２    （ボールベアリング保持器２の隣接する二つのウェブ１８の間の、ボールベアリング保持器２の外周上における）間隔、円弧長
７４    （ボールベアリング保持器２の隣接する二つのウェブ１８の間の、ボールベアリング保持器２の内周上における）間隔、円弧長
７６    内側軌道輪４２の外周
７８    ボールベアリング内輪／内側軌道輪４２の内輪肩部、（ボールベアリング）内輪肩部によるガイド
８０    （２部品式）射出成形ツール
８２    第一ツール部分、上型
８４    第二ツール部分、下型
８６    空洞、めす型
８８    パーティングライン
９０    （ウェブ端９２における）ボールポケット開口部、ウェブ端９２における“開いた”間隙
９２    （自由）ウェブ端
９４    （軸方向に）“近位の”第一肩部
９６    （軸方向に）“遠位の”第二肩部
９８    張り出し部分
【図１】
2021520474.tif 000003
【図２】
2021520474.tif 000004
【図３】
2021520474.tif 000005
【図４】
2021520474.tif 000006
【図５】
2021520474.tif 000007
【図６】
2021520474.tif 000008
【図７】
2021520474.tif 000009
【図８】
2021520474.tif 000010
【図９】
2021520474.tif 000011
【図１０】
2021520474.tif 000012
【図１１】
2021520474.tif 000013
【図１２】
2021520474.tif 000014
【図１３】
2021520474.tif 000015
【図１４】
2021520474.tif 000016
【国際調査報告】
2021520474.tif 000017
2021520474.tif 000018
2021520474.tif 000019
2021520474.tif 000020
2021520474.tif 000021
2021520474.tif 000022